(57)【要約】【課題】組立が容易でかつＵＢＣ地域ＩＶ規定を満たす地震定格になっている費用上有利な電池ラック装置を提供すること。【解決手段】据え置き電源用蓄電池ラック装置が提供される。ラック装置は、ＵＢＣ地域ＩＶ規定のために耐震規制されるように構成されたラック構成体を含む。ラック構成体は、ラック・フレームによって支持された複数の棚を含む。ラック・フレームにそう各棚は正面開口を有する各電池受け領域を画定する。前記各棚はラック構成体に着脱自在に接続された少なくとも１つの関連した電池拘束体を有する。拘束体は、配置された電池の移動を拘束するように正面開口を横切り各電池受け領域まで延びている。ラック装置は、ラック・フレームの占有面積内に配置された少なくとも１つの溝形材を含む。溝形材は、ラック装置に収容された電池を一体に連結するように用いられるワイヤを収納するために隣接電池受け領域間に通路を設けるように延びている。【選択図】図１
2004510313.tif 000002
【特許請求の範囲】
【請求項１】
ＵＢＣ地域ＩＶ規定のために耐震規制されるように構成されたラック構成体からなる据え置き電源用蓄電池ラック装置であって、前記ラック構成体はラック・フレームによって支持された複数の棚を含み、ラック・フレームにそう各棚は正面開口を有する各電池受け領域を画定し、前記ラック・フレームは占有面積を画定し、各棚は、ラック構成体に着脱自在に接続され、かつ、配置された電池の移動を拘束するように正面開口を横切り各電池受け領域まで延びている少なくとも１つの関連した電池拘束体とおよびラック・フレームの占有面積内に配置された少なくとも１つの溝形材とを有し、該溝形材がラック装置に収容された電池を一体に連結するように用いられるワイヤを収納するために隣接電池受け領域間に通路を設けるように延びている、蓄電池ラック装置。
【請求項２】
前記ラック・フレームは複数の直立ラック支持体からなり、該直立ラック支持体のうちの少なくとも１つはＳ字形断面形状をしていて、Ｓ字形断面形状の一方の半体は溝形材を形成し、Ｓ字形断面形状の他方の半体は前記棚が固定される面を画定する、請求項１に記載の蓄電池ラック装置。
【請求項３】
各電池受け空間は後方開口を有し、各棚は前記各電池受け空間の後方開口を横切るように前記ラック構成体に接続された関連する第２拘束体を有している、請求項１に記載の蓄電池ラック装置。
【請求項４】
各電池拘束体は前記ラック・フレームに着脱自在に接続されている、請求項１に記載の蓄電池ラック装置。
【請求項５】
各電池拘束体は細長いストリップからなり、該ストリップは前記ラック構成体に接続する接続面を画定するフランジを一端に有する、請求項１に記載の蓄電池ラック装置。
【請求項６】
各電池拘束体は凹凸を相互連結することによって前記ラック・フレームに接続される、請求項１に記載の蓄電池ラック装置。
【請求項７】
前記ラック・フレームは１対の対向前方縁および１対の対向後方縁を有し、各前方縁および後方縁は複数の銃眼および鋸壁をもった銃眼模様をしており、前記銃眼は、前記電池拘束体が取り付けられる面を画定し、前記鋸壁が前記電池拘束体装着を案内するように形成されている、請求項１に記載の蓄電池ラック装置。
【請求項８】
前記各棚は前方縁、後方縁、対向側方縁を有し、前記前方縁は前方開口から各電池受け領域まで延びるフランジを有し、前記後方縁は前記棚上の電池を位置決めする停止面を画定するように前記前方縁フランジの反対方向に延びるフランジを有している、請求項１に記載の蓄電池ラック装置。
【請求項９】
前記各側方縁は前記ラック・フレームに固定された各フランジを有している、請求項８に記載の蓄電池ラック装置。
【請求項１０】
前記各棚は、各棚を強化する溝形材区分を含む、請求項１に記載の蓄電池ラック装置。
【請求項１１】
前記棚は外部機器から自由なラック・フレームに非着脱自在に固定される、請求項１に記載の蓄電池ラック装置。
【発明の詳細な説明】
【０００１】
【発明の属する技術分野】
本発明は、鉛蓄電池、密封鉛蓄電池に関し、さらに詳しく言えば、このような電池を収容する地震定格ラック装置に関する。
【０００２】
【従来の技術】
据置き電池は、フロート用途、すなわち電源故障の場合の予備電源として特に設計されている。据置き電池は、予め設定された一定電圧に浮遊させることによって常時充電かつ常時使用可能状態に通常維持される。予備電源は、通信分野、公共施設における待機または動作電源として、民間建造物の緊急照明として、無停電電源として用いられる。
【０００３】
無停電電源は、コンピュータおよび通信ネットワークをバックアップする装置である。密封鉛蓄電池および／または電池は、電源からなる。停電期間中のような一次電源の突然の中断が起きたとき、無停電電源はコンピュータを整然と遮断し、通信ネットワーク用バックアップ電力を供給する。無停電電源は、短絡、中断、電力喪失を吸収する。電力中断が起きた場合、無停電電源装置の電池は急激に放電する。
【０００４】
電力要求が高度で非常に厳しい産業用途の密封鉛蓄電池および／または電池は、所望の容量および電力要求を備えた電池を形成するように、代表的には、互いに接続された数個から多数個までの個々の密封鉛蓄電池からなる。個々の密封鉛蓄電池は、所望の容量および電力要求を備えた電池を形成するように、直列、並列、または直並列の組合せに接続されてもよい。外部の接続は、各電池の陰極および陽極端子電極間に代表的にはつくられる。
【０００５】
空間を考慮して、これらの大容量電池は、空間要求を最小にするために、ラック、キャビネット等に置かれる必要がある。適切なキャビネットおよび電池トレイ構成体を設計するさいの複雑化因子は、一般構造物条例地域ＩＶ用途、すなわち、大地震条件が起きる地域に対して、大地震条件が起きた場合に電池がラックに十分に固定されることを保証するように満たされなければならない過酷な要求があることである。実際に、製造および在庫管理の観点から、地域ＩＶ用途のために固有の設計を要求するよりはむしろすべての用途において用いられる電池トレイ構成体が望ましい。
【０００６】
従来の地震定格ラック装置における配線は、代表的にはラックの包囲を超えて外に延びている。このようにして、ラックの占有面積を超えた追加の空間が、配線のために要求された。さらに、従来の装置は、それらが増加された組立および取扱費用をもたらす一体に組み立てられなければならない多数の緩んだ部品からなっている点で、組立が困難である。
【０００７】
上述の考慮に加えて、ここに述べた同様な欠点を克服しつつ、ここに述べた可変の要求基準を満たす費用の点で有利な電池トレイ構成体を提供することが必要になる。現在入手できる電池ラックのいずれもがこの目標に到達していない。
【０００８】
【発明が解決しようとする課題】
したがって、本発明の主な目的は、組立が容易でかつＵＢＣ地域ＩＶ規定を満たすように地震定格になっている費用上有効な電池ラック装置を提供することにある。
【０００９】
本発明の別の目的は、占有面積内に全体が収容され、かつ、外部連結具または配線の取付のためだけの追加の占有床面積空間を必要としない電池ラック装置を提供することにある。
【００１０】
本発明のさらに別の目的は、各電池が組立状態で保持され、しかも構成体の前方から容易に接近できる予備用途電池を収容する電池トレイ構成体を提供することにある。
【００１１】
本発明のさらに別の目的は、安価で、容易に製造され、現場で利用するのが容易な電池ラック装置を提供することにある。
【００１２】
【課題を解決するための手段】
本発明は、電池が配置されるフレーム支持棚を含むラック装置を提供する。棚の外側にそって延びる形鋼材が、ラック装置の占有床面積内でワイヤの配置を許す。烈震活動中に電池を定位置に維持する拘束体がフレームに連結される。
【００１３】
【発明の実施の形態】
図面を参照すれば、図１には本発明にもとづいて構成されたラック装置１０が示されている。ラック装置１０は、フレーム１４および複数の棚１６を含むラック構成体１２を含む。この場合、フレーム１４は、その隅に配置された４個の直立または垂直ラック支持体１８、カバーまたは屋根２０、基台２２を含む。屋根２０および基台２２は可搬ラック支持体１８に固定される。基台２２は、任意の適当な方法で床に装着される。
【００１４】
図示した実施例においては、棚１６は垂直ラック支持体１８に取り付けるために縁２４にそって上方に曲げられた鋼板からなる。棚側方縁フランジ２４および屋根２０は、溶接等の任意の適当な手段によって垂直ラック支持体１８に固定される。追加の強度を与えるために、棚１６は棚の前方縁および後方縁にそってさらにフランジ２６、２８を含んでいて、それぞれが電池３０の接近および配置を容易にする。前方縁フランジ２６は下方に曲げられ、後方縁フランジ２８は電池３０を棚１６上の定位置に維持することを補助するように上方に曲げられる。棚１６は、その下で横に延びるフランジ３２をさらに含んでいてもよい。フランジは溶接等の任意の適当な手段によって棚１６に連結されてもよい。棚１６は、強度をさらに増しかつ電池３０の周囲の空気循環を促進させるために湾曲溝形材をさらに含んでいてもよい。棚１６の開口３６は増大された空気循環を与える。
【００１５】
しかし、溶接箱等の別の棚および屋根設計が用いられてもよいことは、理解されるであろう。フレームは、代表的には鋼、好ましくは冷間鋼からなるが、別の材料を用いてもよい。さらに、本発明はフレーム１４を含むラック構成体１２に関して記載されてきたが、本発明はキャビネットのような別のラック構成体にも等しく適用可能であることは理解されるであろう。
【００１６】
烈震活動中に棚１６上の電池を保持するために、ラック構成体１２は電池３０の前方および好ましくは後方にもそって配置される拘束体４０を追加的に含んでいてもよい。拘束体４０は、冷間圧延鋼のような材料から同様につくられる。棚１６および屋根２０が、溶接等によって外部機器から自由な方法によって恒久的にまたは非着脱自在の仕方でラック支持体１８に固定される場合には、拘束体４０はラック装置の緩い部品のみとなり、それによって構成体および装置の装着を非常に単純化する。
【００１７】
図示した実施例においては、拘束体４０は、構成要素内の１またはそれを超える凹部もしくは穴に係合する１またはそれを超える突起によってフレーム１４に連結される。図示した実施例においては、垂直ラック支持体１８は、図１−５に示すように、垂直ラック支持体１８の側面から延びる複数の突起４２からなる。ここでは、一端に湾曲フランジ４６をもつ細長いストリップの形体の拘束体４０は、開口４８を含む。開口４８は、拘束体４０が図１に示すように配置されたとき、垂直ラック支持体１８の側面にそって延びる突起に係合するように配置される。しかし、拘束体４０は突起をもつことができ、フレーム１４がその突起を受ける凹部または開口をもつことができることは理解されるであろう。もちろん、拘束体４０は、ナットおよびボルト等の外部締結具を含む任意の適当な締結器具を用いてフレーム１４に固定されてもよい。
【００１８】
この場合、開口４８および突起４４は、特別の烈震活動に耐える固定係合を与えるように適切に採寸される。図示した実施例においては、突起４２は三角形状に形成されていて、その底辺５０がフレーム１４の前方嵌合面から末端側に配置され、頂点５２がフレーム１４の前方嵌合面近くに配置される。突起４２は、好ましくは頂点５２から底辺５０まで外方に角度を付けられる。突起４２は、図４に示すように、底辺５０で開いている。このようにして、拘束体４０の湾曲フランジ４６はフレーム１４の前方縁から後方縁に向かって進まされたとき、開口４８が角度付き突起４２を超えるまで湾曲フランジ４６は突起４２を滑り超え、そして湾曲フランジ４６が定位置に嵌り、拘束体４０を垂直ラック支持体１８に掛止する。
【００１９】
一実施例においては、突起４２は５−１２．７ｍｍ（０．２−０．５ｉｎ）の高さａ、１０．２−１７．８ｍｍ（０．４−０．７ｉｎ）の底辺幅ｂ、７．６−１２．７ｍｍ（０．３−０．５ｉｎ）の底辺５０から頂点５２までの高さｃを有し、突起４２の最頂点ｄは垂直ラック支持体１８の前方縁から１９−２５．４ｍｍ（０．７５−１ｉｎ）程度である（図３および４参照）。対応する開口４８は、突起を包囲しかつ係合するのに十分な寸法を有している。ここでは、寸法ｅは１２．７−２０．３ｍｍ（０．５−０．８ｉｎ）であり、寸法ｆは１０．２−１５．２ｍｍ（０．４−０．６ｉｎ）である（図８参照）。
【００２０】
本発明の一態様によれば、ラック装置１０は、ワイヤの配置のための追加の床面積を要求すると言うよりはむしろラック装置１０の最初の床面積内ですべてのワイヤ等を収納する。特に、フレーム１４の垂直ラック支持体１８は、フレーム１４の棚１６間に延びるワイヤ等の整理のための形鋼材５４を含む。形鋼材５４は垂直に延び、並列または直列に電池３０を連結するように棚１６間でワイヤを配置するための十分な余地を与える。好適実施例においては、垂直ラック支持体１８はＳ字形状に曲がった所定長さの冷間圧延鋼からなる。Ｓ字形状の一方の部分は形鋼材５４を形成し、Ｓ字形状の他方の部分は棚１６が固定される面５６を与える。
【００２１】
拘束体１４の取付けのために配置された垂直ラック支持体１８の縁は銃眼模様をしており、銃眼５８は突起４２に隣接配置される。銃眼５８間に延びる鋸壁６０は垂直ラック支持体１８に追加の強度を与えるばかりではなく、使用者に正確かつ迅速な拘束体４０の配置を助ける。
【００２２】
形鋼材５４は垂直ラック支持体１８に関して記載されてきたが、棚１６の側縁にそって延びるこのような形鋼材が一群の電池３０を収容するその他の形体のラック構成体１３またはキャビネットとして利用されてもよいことは、当業者であれば理解されるであろう。
【００２３】
【発明の効果】
要約すれば、本発明は、コスト上有利であり、現場での組立、据付けが容易である。本発明は、棚間に延びる内部形鋼材を設けることによって整然として落ち着いた外観を呈するラック装置を含む。
【図面の簡単な説明】
【図１】本発明にもとづいて構成された蓄電池ラック装置の斜視図である。
【図２】図１に示すラック装置のラック支持体の正面図である。
【図３】図２の３−３線から見たラック支持体の側面図である。
【図４】図２の４−４線から見たラック支持体の側面図である。
【図５】図２−４に示すラック支持体の部分斜視図である。
【図６】図１に示すラック装置のストラップ拘束体の背面図である。
【図７】図６の７−７線から見たストラップ拘束体の上面図である。
【図８】図６の８−８線から見たストラップ拘束体の端面図である。
【図９】図６−８のストラップ拘束体の縮小寸法斜視図である。
【国際公開パンフレット】
2004510313.tif 000003
2004510313.tif 000004
2004510313.tif 000005
2004510313.tif 000006
2004510313.tif 000007
2004510313.tif 000008
2004510313.tif 000009
2004510313.tif 000010
2004510313.tif 000011
2004510313.tif 000012
2004510313.tif 000013
2004510313.tif 000014
2004510313.tif 000015
2004510313.tif 000016
【国際調査報告】
2004510313.tif 000017
2004510313.tif 000018